(57)【要約】【課題】  放射線検出器を格納する筐体又は架台に設けられた有効化手段及び設定手段により、放射線検出器を有効化し、撮影情報を設定することで、放射線検出器の設置場所から放射線検出器を制御することができる。【解決手段】  本発明に係る放射線撮影装置は、第１の放射線検出器を有効化する有効化手段と、前記第１の放射線検出器の撮影情報を設定する設定手段とが前記第１の放射線検出器に備えられ、前記有効化手段により前記第１の放射線検出器が有効化された場合に、前記設定手段により設定された前記撮影情報に基づいて、前記第１の放射線検出器及び第２の放射線検出器を制御する制御手段を備える。【選択図】図１
2018011871.tif 000002
【特許請求の範囲】
【請求項１】
第１の放射線検出器を有効化する有効化手段と、
前記第１の放射線検出器の撮影情報を設定する設定手段とが前記第１の放射線検出器に備えられ、
前記有効化手段により前記第１の放射線検出器が有効化された場合に、前記設定手段により設定された前記撮影情報に基づいて、前記第１の放射線検出器及び第２の放射線検出器を制御する制御手段を備えることを特徴とする放射線撮影装置。
【請求項２】
放射線を検出する第１の放射線検出部を格納する筐体に備えられ、前記第１の放射線検出部を有効化する有効化手段と、
前記筐体に備えられ、前記第１の放射線検出部の撮影情報を設定する設定手段とを備え、
前記有効化手段により前記第１の放射線検出部が有効化された場合に、前記設定手段により設定された前記撮影情報が、前記第１の放射線検出部及び第２の放射線検出部を制御する制御手段に送信されることを特徴とする放射線撮影装置。
【請求項３】
放射線を検出する第１の放射線検出部を格納する架台に備えられ、前記第１の放射線検出部を有効化する有効化手段と、
前記架台に備えられ、前記第１の放射線検出部の撮影情報を設定する設定手段とを備え、
前記有効化手段により前記第１の放射線検出部が有効化された場合に、前記設定手段により設定された前記撮影情報が、前記第１の放射線検出部及び第２の放射線検出部を制御する制御手段に送信されることを特徴とする放射線撮影装置。
【請求項４】
前記第１の放射線検出器は、検出された前記放射線に基づいて生成される放射線画像を、前記撮影情報と関連付けて保持する保持手段を備えることを特徴とする請求項１乃至３の何れか１項に記載の放射線撮影装置。
【請求項５】
前記撮影情報は、撮影プロトコルＩＤ、撮影部位、撮影方向、被検者の年齢区分、及び放射線画像の回転情報の少なくとも１つを含むことを特徴とする請求項１乃至４の何れか１項に記載の放射線撮影装置。
【請求項６】
前記設定手段は、前記第１の放射線検出器及び前記第２の放射線検出器の少なくとも１つの過去の前記撮影情報に基づく優先度に応じて順序付けられた前記撮影情報から、前記第１の放射線検出器の撮影情報を設定することを特徴とする請求項１乃至５の何れか１項に記載の放射線撮影装置。
【請求項７】
前記優先度は、前記撮影情報の設定頻度又は設定時間により決定されることを特徴とする請求項６に記載の放射線撮影装置。
【請求項８】
前記制御手段は、前記第１の放射線検出器及び前記第２の放射線検出器で共通の前記撮影情報を前記第１の放射線検出器に送信することを特徴とする請求項１乃至７の何れか１項に記載の放射線撮影装置。
【請求項９】
前記第１の放射線検出器に備えられ、表示される放射線画像の方向と一致する方向を指定する方向指定手段を備えることを特徴とする請求項１乃至８の何れか１項に記載の放射線撮影装置。
【請求項１０】
前記有効化手段は、前記第１の放射線検出器を有効化した場合に、前記第２の放射線検出器を有効化することを特徴とする請求項１乃至９の何れか１項に記載の放射線撮影装置。
【請求項１１】
前記設定手段により設定された前記撮影情報は、前記第２の放射線検出器に送信されることを特徴とする請求項１０に記載の放射線撮影装置。
【請求項１２】
放射線を発生させる放射線発生手段と、
前記放射線を検出する第１の放射線検出器及び第２の放射線検出器と、
前記放射線発生手段、前記第１の放射線検出器、及び前記第２の放射線検出器を制御する制御手段とを備え、
前記第１の放射線検出器は、前記第１の放射線検出器を有効化する有効化手段と、前記第１の放射線検出器の撮影情報を設定する設定手段とを備え、
前記制御手段は、前記有効化手段により前記第１の放射線検出器が有効化された場合に、前記設定手段により設定された前記撮影情報に基づいて、前記第１の放射線検出器及び前記第２の放射線検出器を制御することを特徴とする放射線撮影システム。
【請求項１３】
第１の放射線検出器に備えられて前記第１の放射線検出器を有効化する有効化手段により前記第１の放射線検出器が有効化された場合に、第１の放射線検出器に備えられて前記第１の放射線検出器の撮影情報を設定する設定手段により設定された前記撮影情報に基づいて、前記第１の放射線検出器及び第２の放射線検出器を制御する工程を備えることを特徴とする放射線撮影方法。
【請求項１４】
コンピュータを請求項１乃至１１の何れか１項に記載の放射線撮影装置の各手段として機能させるためのプログラム。
【発明の詳細な説明】
【技術分野】
【０００１】
本発明は、放射線撮影装置、放射線撮影システム、放射線撮影方法、及びプログラムに関する。
【背景技術】
【０００２】
従来、放射線発生装置から放射線を患者に照射し、患者を透過した放射線の強度分布である放射線データをデジタル化し、デジタル化された放射線画像に画像処理を施し、鮮明な放射線画像を生成する放射線撮像装置を用いた放射線画像撮影システムがあった。
【０００３】
このような放射線画像撮影システムは、放射線発生装置、放射線検出器、及び放射線検出器の状態を制御したり、放射線検出器から転送される撮影画像に画像処理を施したり外部情報システムと各種データを送受信する制御コンピュータから構成される。放射線発生装置が放射線を照射して放射線撮像装置が生成した放射線画像データを、画像処理や保存のために制御コンピュータに転送し、ディスプレイなどの表示装置に画像処理済みの画像が表示される。
【０００４】
ここで、放射線検出器としては、固体撮像素子を２次元マトリクス状に配置したＦＰＤ（Ｆｌａｔ Ｐａｎｅｌ Ｄｅｔｅｃｔｏｒ）が知られている。ＦＰＤは、放射線を電気信号に変換する複数の光電変換素子がマトリクス状に配列された光電変換回路と、この変換により得られた電気信号をこの光電変換回路から読み出すための読み出し回路とを有する。
【０００５】
患者を透過した放射線が蛍光体によって放射線の量に応じた光に変換され、変換された光は、光電変換回路の各光電変換素子において、光電変換が実行され、各光電変換素子に透過放射線量に対応した信号電荷が蓄積される。読み出し回路は、光電変換回路の各信号線を駆動して、光電変換素子が接続されたスイッチ素子を適宜制御することにより、各光電変換素子に蓄積されている信号電荷を電気信号として順次読み出し、増幅して出力する。
【０００６】
ＦＰＤは、放射線が照射されるとデータ取得が可能な状態（有効状態）と、照射されてもデータ取得ができない状態（無効状態）とをもっており、有効状態で、照射スイッチからの同期信号があると読み出し動作を開始する。
【０００７】
また近年、放射線発生装置と照射タイミングの同期を取らなくとも、放射線を自動検知することで、透過放射線画像の取得ができるＦＰＤも出てきている。このタイプの放射線検出器は、同期のためのケーブルが不要なので、どのような放射線発生装置とも組み合わせられる利点がある。
【０００８】
さらに、ＦＰＤに取得画像を保持するメモリを搭載することで、撮影時に制御コンピュータを不要にした構成も考えられている。この構成では、検査後に、撮影画像が保存されたＦＰＤを制御コンピュータに接続して、放射線画像転送を行い、画像処理を施した上で、患者情報や部位の情報と結びつける。
【０００９】
上記で説明した放射線検出器はカセッテ型として、大角（３５ｃｍ×３５ｃｍ）、フル（４３ｃｍ×４３ｃｍ）、及び大四つ（２７ｃｍ×３５ｃｍ）など種々サイズがあり、また、スタンドやベッドに据え付けられて種々の撮影手技による撮影が行われる。例えば、手指の撮影では、大四つサイズが使われ、患者のベッドの下に入れて撮影する腹部撮影では、フルサイズの放射線検出器が使われる。
【００１０】
また、スタンドでは、胸部正面撮影が行われ、ベッドでは腹部撮影や四肢の関節の撮影が行われる。また、足腰が悪く立位での撮影ができない場合は、撮影時に患者の容態をみてスタンド型からベッド型に変更する。このときの放射線検出器の切り替えは、制御コンピュータに接続されたオペレーションユニットを介して行われる。
【先行技術文献】
【特許文献】
【００１１】
【特許文献１】特開２０１５−６４１３号公報
【特許文献２】特許第３８９０１６３号公報
【発明の概要】
【発明が解決しようとする課題】
【００１２】
このように、撮影手技や患者の体格や状態によって、放射線検出器を切り替えて使用するが、一般的に、Ｘ線を制御する操作卓や、放射線検出器を操作するオペレーションユニットは撮影を行う撮影室とは別の操作室にある。
【００１３】
操作者である放射線技師は、操作室にあるオペレーションユニットで、撮影手技に適した放射線検出器に切り替えた後、撮影室に戻り、選択されている放射線検出器に対して患者のポジショニングを行う。このとき、例えば放射線検出器のサイズが異なっていた場合や放射線検出器のサイズとともに撮影手技が異なっていた場合は、再度操作室に戻りオペレーションユニットで操作しなければならなかった。
【００１４】
複数の放射線検出器を切り替えるケースに対し、特許文献１には、放射線検出器上に選択ボタンを設けて、選択された放射線検出器と患者情報を結びつける発明がなされている。また、特許文献２には、放射線検出器に対応して設けられたボタンを押下することで、放射線検出器とフォトタイマを通常電流状態（有効状態）にして、非選択の放射線検出器とフォトタイマを低電流状態（無効状態）に制御することが記載されている。
【００１５】
しかし、これらの特許文献は、放射線検出器とともに撮影手技を変えるケースに関して言及されていない。そのため、検査後に撮影手技に関する撮影情報を設定しなければならず、操作性が悪いという課題があった。
【課題を解決するための手段】
【００１６】
本発明に係る放射線撮影装置は、第１の放射線検出器を有効化する有効化手段と、前記第１の放射線検出器の撮影情報を設定する設定手段とが前記第１の放射線検出器に備えられ、前記有効化手段により前記第１の放射線検出器が有効化された場合に、前記設定手段により設定された前記撮影情報に基づいて、前記第１の放射線検出器及び第２の放射線検出器を制御する制御手段を備える。
【発明の効果】
【００１７】
放射線検出器を格納する筐体又は架台に設けられた有効化手段及び設定手段により、放射線検出器を有効化し、撮影情報を設定することで、放射線検出器の設置場所から放射線検出器を制御することができる。
【図面の簡単な説明】
【００１８】
【図１】第１の実施形態に記載の放射線画像撮影システムの概略構成を示すブロック図である。
【図２】撮影プロトコル選択手段の一例を示す図である。
【図３】撮影プロトコルリストの一例を示す図である。
【図４】撮影準備画面の一例を示す図である。
【図５】撮影画面の一例を示す図である。
【図６】検出器切替ウインドウの一例を示す図である。
【図７】第１の実施形態に記載の放射線画像撮影システムの詳細構成を示すブロック図である。
【図８】第１の実施形態の有効／無効処理を示すフローチャートである。
【図９】第１の実施形態の撮影プロトコル入力後の処理を示すフローチャートである。
【図１０】部位、年齢区分、撮影方向、及び回転情報の入力部の一例を示す図である。
【図１１】部位、年齢区分、及び撮影方向のリストの一例を示す図である。
【図１２】プロトコルＩＤ、部位、年齢区分、及び撮影方向のデータベースの一例を示す図である。
【図１３】方向指定部の一例を示す図である。
【図１４】第２の実施形態に記載の放射線画像撮影システムの詳細構成を示すブロック図である。
【図１５】第３の実施形態に記載の放射線画像撮影システムの概略構成を示すブロック図である。
【発明を実施するための形態】
【００１９】
以下、本発明に関わる放射線画像撮影システムの実施の形態について、図面を参照して説明する。ただし、本発明は以下の図示例のものに限定されるものではない。
【００２０】
（第１の実施形態）
第１の実施形態に記載の放射線画像撮影システムの概略構成を図１に示す。図中の符号１０２は検出器Ａ（第１の放射線検出器）、１０３は検出器Ｂ（第２の放射線検出器）を示し、患者を透過した放射線を検出して、透過放射線の分布を画像データとして出力する。検出器Ａは、横２７ｃｍ及び縦３５ｃｍで、検出器Ｂは、横４３ｃｍ及び縦４３ｃｍである。指や四肢など撮影領域が狭い場合は、検出器Ａを用い、胸部や腹部など撮影領域が比較的広い場合は、検出器Ｂを用いて撮影が行われる。
【００２１】
制御装置１００は、検出器Ａ１０２又は検出器Ｂ１０３と表示・操作装置１０１の制御を行ったり、病院内ネットワーク１０４を介して外部情報システムと患者情報、検査情報、実施情報、及び画像データなどの通信を行ったりする。システムの状態に応じて、制御装置１００は、検出器Ａ１０２又は検出器Ｂ１０３を有効状態又は無効状態に遷移させるとともに、転送されてくる画像データに対して、各種補正処理及び画像処理を施して撮影画像を生成し、表示・操作装置１０１へ表示する。
【００２２】
ここで、有効状態とは、検出器１０２，１０３の読み取り回路が駆動していて放射線の照射に対して画像データが取得できる状態を指している。一方、無効状態とは、読み取り回路に電源が供給されていない状態又は低電流状態など、放射線を照射しても画像データが取得できない状態を指している。なお、自動検知タイプでは、検知できない状態が無効状態に相当する。
【００２３】
有効化ボタン１０７及び無効化ボタン１０８は、検出器Ａ１０２又は検出器Ｂ１０３を有効状態及び無効状態に遷移させるためのものである。有効状態になると、Ｒｅａｄｙランプ１０６が緑に点灯する。検出器Ａ（第１の放射線検出器）１０２を有効化する有効化ボタン（有効化部）１０７が検出器Ａ１０２に備えられる。例えば、有効化ボタン（有効化部）１０７は、放射線を検出する検出器Ａ（第１の放射線検出器）１０２を格納する筐体又は架台に設けられ、検出器Ａ（第１の放射線検出器）１０２を有効化する。
【００２４】
検出器Ａ（第１の放射線検出器）１０２の撮影情報を設定する撮影プロトコルＩＤ入力部（設定部）１１０が検出器Ａ１０２に備えられる。例えば、撮影プロトコルＩＤ入力部（設定部）１１０は、検出器Ａ（第１の放射線検出器）１０２を格納する筐体又は架台に設けられ、検出器Ａ（第１の放射線検出器）１０２の撮影情報を設定する。撮影情報は、撮影プロトコルＩＤ、撮影部位、撮影方向、被検者の年齢区分、及び放射線画像の回転情報の少なくとも１つを含む。
【００２５】
例えば、撮影プロトコルＩＤ入力部（設定部）１１０は、撮影プロトコルＩＤを入力する部分であり、図２で示すように、撮影プロトコル表示領域１５０と変更ボタン１５１，１５２を含む。図３は、Ｘ線検出器で撮影可能なプロトコルＩＤリストを示しており、このリストに基づき、選択されているプロトコルの名称が撮影プロトコル表示領域１５０に表示される。変更ボタン１５１，１５２は、それぞれ撮影プロトコルＩＤを降順又は昇順で撮影プロトコル表示領域１５０を変更して表示するボタンである。
【００２６】
撮影プロトコルＩＤ入力部１１０としては、プロトコルＩＤを直接入力する方式でもよく、その場合、テンキ―入力、音声入力、及び磁気カード・バーコードなどの外部情報入力からの入力も考えられる。
【００２７】
放射線源１０５は、放射線を発生するもので、例えば、Ｘ線管球が相当する。放射線源１０５は、図示していない放射線発生装置及びその操作卓の一部である。放射線技師は、操作卓で撮影条件を入力して、照射スイッチを押下することで、放射線源１０５から放射線を照射する。放射線発生装置は、ネットワーク１０４と接続されており、表示・操作装置１０１から管電圧、管電流、及び照射時間などの撮影条件を放射線発生装置へ送って、撮影条件を設定したり、実施した撮影条件を表示・操作装置１０１へ送ったりする。
【００２８】
また、表示・操作装置１０１は、画像表示と本撮影システムの操作を行う部分で、タッチパネルモニタが一般的に使用されるが、マウス、キーボード、磁気カード、及びバーコードなどの入力デバイスと組み合わせてもよい。
【００２９】
図４及び図５は、表示・操作装置１０１に表示されたＧＵＩの画面の一例を示したものである。図４は、撮影オーダーリストが表示されている撮影準備画面を示しており、図５は、撮影後の撮影画面を示している。
【００３０】
図４は、ネットワーク１０４を介して、放射線科情報システム（ＲＩＳ）から送られてきた患者情報と検査情報を、撮影オーダーリスト２００として表示している状態である。放射線技師は、撮影オーダーリスト２００から該当患者を選択して、患者情報表示領域２０２及び撮影プロトコル表示領域２０５で確認して、撮影開始ボタン２０６を押下する。
【００３１】
撮影プロトコル表示領域２０５は、撮影順にプロトコルが並んでおり、上から順に実行される。撮影プロトコルは、撮影する部位、撮影方向、及び使用する放射線検出器などの組み合わせで構成されており、撮影プロトコルを指定するとこれらが一意に決まる。また、使用する画像処理パラメータや放射線検出器ごとのキャリブレーションデータも決定される。リスト更新ボタン２０１は、撮影オーダーリストを更新するためのボタンである。
【００３２】
図５は、患者にＸ線を照射して得られた撮影画像を表示した状態を示している。画像表示領域２１２に、撮影した画像が表示され、画像処理ツールボックス２１３内の各種画像処理を調整することで、画像のコントラスト、濃度、及び鮮鋭度などが調整される。
【００３３】
撮影プロトコル表示領域２０５は、上段において、胸部Ｐ−Ａの撮影が終わり、画像表示領域に画像を表示していることを意味しており、下段において、手指Ａ−Ｐにフォーカスが当たっており、これから撮影を行うことを意味している。
【００３４】
また、撮影プロトコル編集ボタン２１０は、フォーカスが当たっているプロトコルの放射線検出器１０２，１０３を変更することが可能である。撮影プロトコル編集ボタン２１０を押下すると、図６の撮影プロトコル変更ウインドウが呼び出され、放射線検出器１０２，１０３及び撮影プロトコルを切り替えることができる。検出器選択ボタン２２１，２２２で選択された放射線検出器１０２，１０３に対応した撮影プロトコルが、撮影プロトコル選択領域２２５に表示される。ここで、撮影プロトコルを選択するが、表示されたページは、ページ切り替えボタン２２６，２２７で表示を切り替えることが可能となっている。
【００３５】
図７は、本実施形態に係る放射線撮影システムの一例を示すブロック図である。
【００３６】
まず、放射線技師は、図４の撮影準備画面で患者を選択し、撮影開始ボタン２０６を押下すると、一番目の胸部Ｐ−Ａプロトコルが自動的に押下され、撮影画面に遷移する。そして、検出器Ｂ１０３が有効化され、検出器Ｂ１０３のＲｅａｄｙランプ１０６が点灯する。このとき、患者情報は、患者情報を保持するメモリ５３４へ保持される。
【００３７】
放射線技師は、撮影室で検出器Ｂ１０３と患者の相対的な位置が適切になるように患者のポジショニングを行った後、操作室へ行き、放射線発生装置の操作卓で撮影条件が正しいかを確認して、照射スイッチを押下して放射線を照射する。
【００３８】
患者を透過した放射線は、検出器Ｂ１０３で検出され画像データとして、制御装置１００へ送られる。制御装置１００は、検出器Ｂ１０３に対応したキャリブレーションデータを使って補正処理を行った後、コントラスト、濃度、鮮鋭度、及びダイナミック圧縮など各種の画像処理を行って撮影画像を生成する。生成された撮影画像は、表示・操作装置１０１へ送られ、図５の撮影画面の画像表示領域２１２に表示される。
【００３９】
そして、次の撮影プロトコルである手指Ａ−Ｐにフォーカスが移り、次の撮影が可能になる。そこで技師は、撮影室へ戻り、有効状態にある検出器Ｂ１０３を使って、患者の手指の撮影を行うためのポジショニングを行うが、手指は撮影領域が狭いので、４３ｃｍ×４３ｃｍのサイズは必要ないことが分かる。そこで、放射線技師は、同じ撮影室にある大四つサイズの検出器Ａ１０２に切り替えて撮影するため、検出器Ａ１０２に取り付けられている有効化ボタン１０７を押下する。
【００４０】
この有効化ボタン１０７は、図７の有効化指示部５００で示された手段の１つであり、ボタンの代わりに、スイッチや音声入力装置など有効化が指示できるものであればよい。
【００４１】
有効化指示部５００からの入力があると、有効要求送信部５０１によって、制御装置１００に対して、有効要求が送信される。送信された有効要求は、要求受信部５２０によって受信され、有効許可部５２１で有効化可能か否かが判断される。有効要求命令は、送信元の検出器Ａ１０２のＩＤの情報も含まれている。有効許可部５２１は、検出器情報５２２により放射線検出器の状態を確認した上で矛盾がなければ、有効化処理を許可する。
【００４２】
有効許可部５２１は、有効化処理が許可された場合は、他の状態遷移要求が割り込まないように、例えば、プログラム上では、セマフォやミューテックスを使って排他処理を行う。また、検出器情報５２２により有効状態の検出器Ｂ１０３に対して、無効化命令送信部５２５より無効化命令が発行される。発行された無効化命令は、検出器Ｂ１０３の有効／無効化命令受信部５０４で受信され、有効／無効化部５０５へ送られる。検出器Ｂ１０３は無効状態に遷移し、Ｒｅａｄｙランプ１０６は消灯する。
【００４３】
次に、有効／無効化命令送信部５２３から、有効化命令が、検出器Ａ１０２に対して発行されるとともに、検出器情報保持部５２２の検出器情報を更新する。検出器Ａ１０２では、有効／無効化部５０５が有効／無効化命令受信部５０４から有効化命令をうけて、検出器Ａ１０２を有効化状態に遷移させる。
【００４４】
有効状態になると、Ｒｅａｄｙランプ１０６が点灯する。また、制御装置１００は、検出器情報保持部５２２の検出器情報を更新する。有効／無効化部５０５により有効化されると、プロトコルＩＤ選択部５０７を有効化して、プロトコルＩＤの選択が可能となる。
【００４５】
このように、検出器Ａ１０２が有効状態になり、検出器Ａ１０２で患者の手指撮影を行うことが可能になる。放射線技師が患者の状態を見て、手指撮影ではなく手関節の撮影が必要と分かった場合、有効化されたプロトコルＩＤ選択部５０７である撮影プロトコルの変更ボタン１５１，１５２を押下して「手関節ＡＰ」を選択し、図示されていない確定ボタンで確定する。
【００４６】
このとき、変更ボタン１５１，１５２を押下するごとに、撮影プロトコルリスト５０２（図３）をそれぞれ昇順又は降順で表示する。なお、撮影プロトコルリストは、放射線検出器ごとに適切な撮影方法がリスト化されている。ここで、制御装置１００から有効／無効化命令送信部５２３から、有効化命令が検出器Ａ１０２に対して発行されるときに、有効化命令とともに選択されている撮影プロトコルである「手指骨Ａ−Ｐ」のプロトコルＩＤも送信されるようにしてもよい。
【００４７】
この場合、撮影プロトコル表示領域１５０の表示を、制御装置１００で選択されている「手指骨Ａ−Ｐ」にすることができる。
【００４８】
なお、制御装置１００は、放射線画像撮影システムにおける過去の撮影を分析し、撮影プロトコル表示領域１５０に撮影頻度順でプロトコルが表示されるようにリスト化してもよい。このように、撮影プロトコルＩＤ入力部（設定部）１１０は、検出器Ａ（第１の放射線検出器）１０２の過去の撮影情報に基づく優先度に応じて順序付けられた撮影情報から、検出器Ａ１０２の撮影情報を設定してもよい。また、撮影プロトコルＩＤ入力部１１０は、検出器Ｂ１０３の過去の撮影情報に基づく優先度に応じて順序付けられた撮影情報から、検出器Ａ１０２の撮影情報を設定してもよい。
【００４９】
また、撮影プロトコルＩＤ入力部（設定部）１１０は、検出器Ａ１０２及び検出器Ｂ１０３の過去の撮影情報に基づく優先度に応じて順序付けられた撮影情報から、検出器Ａ１０２の撮影情報を設定してもよい。この場合、後述するように、検出器Ａ１０２及び検出器Ｂ１０３の過去の撮影情報に基づく優先度に応じて順序付けられた撮影情報を、検出器Ａ１０２及び検出器Ｂ１０３で共有してもよい。
【００５０】
具体的には、放射線画像撮影システムにおける過去の撮影を分析した結果、手関節Ａ−Ｐ、手関節Ｌ−Ｌ、及び手指骨Ａ−Ｐの撮影頻度順にプロトコルが実施されたのであれば、手関節Ａ−Ｐ、手関節Ｌ−Ｌ、及び手指骨Ａ−Ｐの順にプロトコルが撮影プロトコル表示領域１５０に表示される。初期状態における撮影プロトコル表示領域１５０には、最も撮影頻度が高い手関節Ａ−Ｐが表示される。このように、撮影プロトコル表示領域１５０に撮影頻度順（設定頻度順）でプロトコルが表示されるため、プロトコル選択の負担が軽減される。
【００５１】
このように、撮影情報の優先度は、撮影情報の設定頻度により決定されてもよいし、撮影プロトコル表示領域１５０に設定時間が新しい順でプロトコルが表示されるなど、設定時間により決定されてもよい。
【００５２】
また、制御装置１００は、放射線検出器１０２，１０３で共通に使用できるプロトコルが撮影プロトコル表示領域１５０に表示されるようにリスト化してもよい。具体的には、放射線検出器１０２，１０３で共通に使用できるプロトコルが、胸部Ｐ−Ａ、胸部Ａ−Ｐ、及び足関節Ａ-Ｐであれば、胸部Ｐ−Ａ、胸部Ａ−Ｐ、及び足関節Ａ-Ｐが撮影プロトコル表示領域１５０に順に表示される。撮影プロトコル表示領域１５０には、放射線検出器１０２，１０３で共通に使用できるプロトコルが順に表示されるため、プロトコル選択の負担が軽減される。
【００５３】
制御装置１００は、放射線検出器（第１の放射線検出器及び第２の放射線検出器）１０２，１０３で共通の撮影情報を放射線検出器（第１の放射線検出器及び第２の放射線検出器）１０２，１０３に送信する
【００５４】
なお、制御装置１００は、放射線検出器１０２，１０３で共通に使用できるプロトコル群と、放射線検出器１０２で使用できるプロトコル群と、放射線検出器１０３で使用できるプロトコル群とを区別してリスト化してもよい。よって、操作者は、放射線検出器の撮影環境（数や特徴など）によって、撮影プロトコル表示領域１５０に表示されるプロトコル群を選択することができる。
【００５５】
つまり、操作者は、放射線検出器１０２，１０３で共通に使用できるプロトコル群と、放射線検出器１０２で使用できるプロトコル群と、放射線検出器１０３で使用できるプロトコル群とからプロトコル群を選択し、選択されたプロトコル群からプロトコルを選択することができる。放射線検出器の撮影環境に応じて、撮影プロトコル表示領域１５０にプロトコル群が表示されるため、プロトコル選択の負担が軽減される。
【００５６】
プロトコルＩＤ選択部５０７で撮影プロトコルが確定すると、確定したプロトコルＩＤは、プロトコルＩＤ送信部５０６により制御装置１００へ送信される。制御装置１００は、プロトコルＩＤ受信部５２６によりプロトコルＩＤを受信し、撮影プロトコル確定部５２７が、撮影プロトコルＤＢ５２４から該当するＩＤを抽出する。そして、画像処理パラメータ、部位、撮影方向、患者方向、患者方向、及びアノテーション付帯情報など各種パラメータが確定する。
【００５７】
このように、有効化ボタン（有効化部）１０７により検出器Ａ１０２が有効化された場合に、撮影プロトコルＩＤ入力部（設定部）１１０により設定された撮影情報が、検出器Ａ１０２及び検出器Ｂ１０３を制御する制御装置１００に送信される。制御装置１００は、有効化ボタン１０７により検出器Ａ１０２が有効化された場合に、撮影プロトコルＩＤ入力部１１０により設定された撮影情報に基づいて、検出器Ａ１０２及び検出器Ｂ１０３を制御する。
【００５８】
撮影プロトコルＤＢ５２４の一例として図１２を示す。確定したパラメータは、撮影パラメータ情報保持部５２８に保存される。従来は、プロトコルを変更するために、撮影室から制御装置１００が設定されている操作室へ戻り、プロトコルＩＤ送信部５４２でプロトコルを選択し直す必要があった。しかし、本実施形態では、放射線検出器から放射線検出器の有効／無効指示とともに、撮影プロトコルの指定が可能になる。
【００５９】
一方、手関節が撮影できるように検出器Ａ１０２上に患者の手をポジショニングした後で、Ｘ線発生装置の照射スイッチを押下すると、Ｘ線が照射され、被験者の手関節の透過画像が検出器Ａ１０２の画像データ読み取り部によって読み取られる。このときの照射条件は、発生装置から図示していないネットワークを介して制御装置１００へ転送され、制御装置１００の実施情報を保持するメモリ５３５へ記録される。なお、実施情報とは、管電流、管電圧、照射時間、及びグリッド情報などである。
【００６０】
読み取られたデータは、画像データ送信部５０９により制御装置１００に転送される。制御装置１００は、画像データ受信部５３０により画像データを受信し、一時画像保持部５３１へ画像を保持するとともに、制御装置１００の制御部に画像データ受信したことを通知する。制御装置１００の制御部は、取得した画像データに対して、撮影プロトコルに設定されている各種画像処理パラメータを使って、濃度、コントラスト、強調度、及びノイズ低減などの各種処理を行うように、画像処理部５２９に指示を出す。
【００６１】
画像処理が施された撮影画像には、画像回転／左右上下反転処理５３２により所定の回転処理や反転処理が施される。また、付帯情報付与部５３３は、患者情報保持部５３４及び実施情報保持部５３５から、患者情報や実施情報を取得して、ヘッダ情報として画像に付帯することで、患者と画像のリンクを取る。
【００６２】
アノテーション付与部５３６は、アノテーションフォーマットに従って、患者情報や実施情報を画像の所定の位置に表示する。このように生成されたＱＡ画像は、撮影画像記憶部５３７に保持され、所定のサイズにトリミングされた上でＰＡＣＳやプリンタへ出力される。
【００６３】
図８は、放射線検出器を有効化するときのフローチャートであり、図９は、プロトコルを選択するときのフローチャートであり、これらの図を用いて本実施形態の処理の流れを説明する。
【００６４】
図８に示すように、放射線技師は、有効化したい検出器Ａ１０２の有効化ボタンを押下すると、検出器Ａ１０２から制御装置１００に対して、有効要求が送信される。制御装置１００は、ステップＳ１０００で、検出器Ａ１０２からの有効依頼があった場合、ステップＳ１００１で、排他処理中か否かを確認する。排他処理を行っているときは、ステップＳ１００２で、依頼元である検出器Ａ１０２へキャンセル通知を行い、有効化依頼は受け入れられなかったことを通知する。
【００６５】
排他処理中でなかった場合は、ステップＳ１００５で排他処理を開始し、以降は排他処理が完了するまで、他の有効依頼及び無効依頼を受け付けないようにする。次に、ステップＳ１００６で、有効状態の検出器Ｂ１０３に無効命令を送信する。検出器Ｂ１０３は、無効化され、無効状態に遷移したら無効化応答を送信する。
【００６６】
ステップＳ１００７で、無効応答を受信したら、ステップＳ１００８で、依頼元である検出器Ａ１０２に有効命令を送信する。検出器Ａ１０２は、有効化され、有効化状態に遷移したら有効化応答を送信する。ステップＳ１００９で、有効応答を受信したら、検出器情報５２２の検出器情報を更新して、ステップＳ１０１１で、排他処理を終了する。
【００６７】
ステップＳ１０００で、検出器Ａ１０２からの有効依頼がなかった場合は、ステップＳ１００３で表示・操作装置１０１からの検出器選択コマンドがあるか否かを確認する。検出器選択コマンドがなければ、ステップＳ１０００に戻る。検出器選択コマンドがあれば、ステップＳ１００４で排他処理中か否かが確認され、排他処理中の場合は、ステップＳ１００２で表示・操作装置１０１へキャンセル通知を行い。排他処理中でない場合は、ステップＳ１００５以降に処理が進み、放射線検出器の切り替えが行われる。
【００６８】
図９では、放射線技師は、放射線検出器上のプロトコルＩＤ選択部５０７により、プロトコルＩＤを選択することにより、プロトコルＩＤが制御装置１００へ送られて、ステップＳ１０２０により放射線検出器からのプロトコルＩＤの入力があるか否かが確認される。プロトコルＩＤの入力があった場合、次のステップＳ１０２１により、放射線検出器が有効状態か否かが確認される。放射線検出器が有効状態であれば、ステップＳ１０２２で撮影プロトコルを確定する。放射線検出器が有効状態でなければ、本来送られてくるべきでないタイミングでプロトコルＩＤが送られてきたので、その旨のメッセージが表示されて、操作はキャンセルされる。
【００６９】
次に、撮影が行われた後、ステップＳ１０２３で、放射線検出器から画像データを取得し、一時画像保持部５３１へ保持するとともに、ステップＳ１０２５で、プロトコルごとに設定されている画像処理パラメータを使って、画像処理が行われる。また、ステップＳ１０２５により、プロトコルごとに設定されている回転と反転の指示により、所望の回転処理や反転処理が行われる。ステップＳ１０２６で、患者情報保持部５３４及び実施情報保持部５３５から患者情報や実施情報を取得して、ヘッダ情報として画像データに追加するとともに、アノテーションフォーマットに従って、画像が画面上に表示される。
【００７０】
このように生成された画像は、ステップＳ１０２８で、撮影画像記憶部５３７に記憶される。
【００７１】
従来は、撮影室でポジショニング中に別の放射線検出器や別のプロトコルＩＤを選択する場合、操作室に戻って、制御装置の表示・操作部１０１から操作しなければなかった。しかし、本実施形態では、放射線検出器に取り付けられている有効化指示部５００及びプロトコルＩＤ選択部５０７を選択することで、撮影可能となる。なお、ここでは、有効化指示とプロトコル選択を別々に行っているが、プロトコルＩＤを選択することで、有効化指示と撮影プロトコルＩＤが同時に転送されるようにしてもよい。
【００７２】
図３で示されるプロトコルＩＤリストは、放射線検出器ごとに異なり、該当する放射線検出器で撮影可能なプロトコルＩＤのリストとなっている。リストの順は、使用頻度順で自動に並び変えられてもよいし、ユーザによりカスタマイズされてもよい。放射線検出器と制御装置は、有線で通信しても、無線で通信してもよい。
【００７３】
また、放射線検出器は、撮影画像を記憶するメモリを搭載したタイプを適用可能である。この場合、放射線検出器側に設けられている撮影情報選択部から入力された撮影情報と撮影画像を対応付けて記憶しておく手段を設けることで、制御装置側での撮影プロトコルに基づく各種処理が容易に実行可能になる。
【００７４】
つまり、検査後に放射線検出器内に記憶された撮影画像を制御装置１００に送るときに、画像とともに撮影時に確定した撮影情報を送ることが可能となり、制御装置１００側で撮影プロトコルを指定しなくても、撮影手技に適した画像処理などが行えるようになる。
【００７５】
以上のように、本実施形態によれば、放射線検出器を格納する筐体又は架台に設けられた有効化手段及び設定手段により、放射線検出器を有効化し、撮影情報を設定することで、放射線検出器の設置場所から放射線検出器を制御することができる。
【００７６】
（第２の実施形態）
第２の実施形態を図１０〜図１４を用いて説明する。なお、上記の実施形態と同様の構成、機能、及び動作についての説明は省略し、主に本実施形態との差異について説明する。
【００７７】
第１の実施形態では、撮影プロトコルＩＤ入力部１１０から撮影プロトコルＩＤを入力して、制御装置１００に送信することで、該当する撮影手技が行えるようになるが、本実施形態では、部位、年齢区分、撮影方向、及び回転情報を入力する例を示す。
【００７８】
図１０は、部位、年齢区分、撮影方向、及び回転情報の入力部を示したものである。符号１５３，１５６，１５９は、部位表示領域、年齢区分表示領域、及び撮影方向表示領域をそれぞれ示し、部位、年齢区分、及び撮影方向をそれぞれ表示する。部位表示領域１５３、年齢区分表示領域１５６、及び撮影方向表示領域１５９の表示項目は、それぞれの変更ボタン１５４，１５５，１５７，１５８，１６０，１６１によって変更可能である。図１１は、部位（図１１（ａ））、年齢区分（図１１（ｂ））、及び撮影方向（図１１（ｃ））のリストを示しており、このリストから表示される項目が選択される。
【００７９】
図１２は、プロトコルＩＤ、部位、年齢区分、及び撮影方向の関係を示したものであり、入力した部位、年齢区分、及び撮影方向が決まると、プロトコルＩＤが決まり、画像処理パラメータ、患者方向値、及びアノテーションフォーマットが決まる。
【００８０】
また、上部指示ボタン（方向指定部）１６２が、検出器１０２，１０３を格納する筐体又は架台に設けられ、表示される放射線画像の方向と一致する方向を指定する。上部指示ボタン１６２は、検出器１０２，１０３の上下左右に取り付けられており、表示される画像の上方向と一致する方向の上部指示ボタン１６２を指定することで、画像のデータ読み取り方向からの回転情報を伝えることが可能となる。
【００８１】
つまり、図１３に示したように、表示される画像の上方向に対応する上部指示ボタン１６２を検出器１０２，１０３の４方向に設けて、表示される画像の上方向と一致する方向の上部指示ボタン１６２を押下することで、表示される画像の上方向を指定する。
【００８２】
例えば、上部指示ボタン１６２−１の方向が、データ読み取り方向で取得された画像を表示する際の上方向であると予め設定されている。この場合、上部指示ボタン１６２−１，１６２−２，１６２−３，１６２−４がそれぞれ指定されると、表示される画像の上方向は、予め設定されている上方向に対して時計回りに０°、９０°、１８０°、及び２７０°回転していることになる。そのため、データ読み取り方向で読み取った画像を、押下された上部指示ボタン１６２の方向に応じて、反時計回りに０°、９０°、１８０°、及び２７０°回転させることで、正しい向きに画像を表示することができる。
【００８３】
図１４は、本実施形態に係る放射線撮影システムの一例を示すブロック図であり、図７と同様の構成には、同様の符号が付されている。
【００８４】
検出器１０２，１０３に含まれる撮影情報選択部５５０は、図１０の変更ボタンからの入力に応じて、部位、年齢区分、撮影方向、及び上部指示を選択する。撮影情報選択部５５０により選択された部位、年齢区分、及び撮影方向に基づいて、図１２の表からプロトコルＩＤが決まる。
【００８５】
また、上部指示ボタン１６２が押下されることにより、予め設定された上方向に対する回転角度が回転情報として認識される。撮影情報として、プロトコルＩＤと回転情報が、撮影情報送信部５５１により、制御装置１００の撮影情報受信部５５２へ送られる。撮影プロトコル確定部５２７は、送られてきたプロトコルＩＤに基づいて、撮影プロトコルを確定し、プリセットされている撮影パラメータをメモリ５２８へ保存する。また、送られてきた回転情報に基づいて、メモリ５２８に保存されている回転のパラメータを更新する。以降は、第１の実施形態と同様である。
【００８６】
（第３の実施形態）
第３の実施形態のシステム概略図を図１５に示す。なお、上記の実施形態と同様の構成、機能、及び動作についての説明は省略し、主に本実施形態との差異について説明する。
【００８７】
第１の実施形態及び第２の実施形態では、カセッテ型の放射線検出器を用いているため、検出器１０２，１０３上に有効化／無効化ボタン１０７，１０８や撮影情報入力部（撮影プロトコルＩＤ入力部１１０など）の操作部を設けていた。本実施形態では、架台にカセッテ型の放射線検出器を取り付ける方式において、検出器１０２，１０３の取り付け位置にかかわらず、これらの操作部を操作しやすくする。
【００８８】
例えば、放射線検出器を取り付けた架台に有効化／無効化ボタン１０７，１０８や撮影情報入力部（撮影プロトコルＩＤ入力部１１０など）が設けられてもよい。
【００８９】
立位型の架台であるスタンド１３０及び臥位型の架台であるベッドに、図１５の有効化／無効化ボタン１３２及び撮影情報入力部の一例である撮影プロトコル入力部１５０〜１５２が設けられてもよい。
【００９０】
（その他の実施形態）
上記の実施形態では、他の放射線検出器（検出器Ｂ１０３）を無効化した後に放射線検出器（検出器Ａ１０２）を有効化する。その他の実施形態では、放射線検出器（検出器Ａ１０２）の有効依頼により、当該放射線検出器に関連付けられた他の放射線検出器（検出器Ｂ１０３）を無効状態から有効化する処理が行われてもよい。つまり、有効化ボタン（有効化部）１０７は、検出器Ａ１０２を有効化した場合に、検出器Ｂ１０３を有効化する。
【００９１】
この場合、撮影プロトコルＩＤ入力部（設定部）１１０により設定された撮影情報は、第２の放射線検出器に送信され、検出器Ａ１０２と同じ撮影情報が検出器Ｂ１０３に設定されてもよい。
【００９２】
また、ＦＰＤ（放射線検出器）に取得画像を保持するメモリを搭載する場合、放射線検出器は、検出された放射線に基づいて生成される放射線画像を、撮影情報と関連付けて保持するメモリ（保持部）を備えてもよい。
【符号の説明】
【００９３】
１００  制御装置
１０１  表示・操作装置
１０２  検出器Ａ
１０３  検出器Ｂ
１０４  病院内ネットワーク
１０５  放射線源
１０６  Ｒｅａｄｙランプ
１０７  有効化ボタン
１０８  無効化ボタン
１１０  撮影プロトコルＩＤ入力部
１３０  スタンド
１３２  有効化／無効化ボタン
１５０  撮影プロトコル表示領域
１５１  変更ボタン
１５３  部位表示領域
１５４  変更ボタン
１５６  年齢区分表示領域
１５９  撮影方向表示領域
１６２  上部指示ボタン
２００  撮影オーダーリスト
２０１  リスト更新ボタン
２０２  患者情報表示領域
２０５  撮影プロトコル表示領域
２０６  撮影開始ボタン
２１０  撮影プロトコル編集ボタン
２１２  画像表示領域
２１３  画像処理ツールボックス
２２１  検出器選択ボタン
２２５  撮影プロトコル選択領域
５００  有効化指示部
５０１  有効要求送信部
５０２  撮影プロトコルリスト
５０４  無効化命令受信部
５０５  有効／無効化部
５０６  プロトコルＩＤ送信部
５０７  プロトコルＩＤ選択部
５０９  画像データ送信部
５２０  要求受信部
５２１  有効許可部
５２２  検出器情報保持部
５２３  無効化命令送信部
５２４  撮影プロトコルＤＢ
５２５  無効化命令送信部
５２６  プロトコルＩＤ受信部
５２７  撮影プロトコル確定部
５２８  撮影パラメータ情報保持部
５２９  画像処理部
５３０  画像データ受信部
５３１  一時画像保持部
５３２  左右上下反転処理
５３３  付帯情報付与部
５３４  患者情報保持部
５３５  実施情報保持部
５３６  アノテーション付与部
５３７  撮影画像記憶部
５４２  プロトコルＩＤ送信部
５５０  撮影情報選択部
５５１  撮影情報送信部
５５２  撮影情報受信部
【図１】
2018011871.tif 000003
【図２】
2018011871.tif 000004
【図３】
2018011871.tif 000005
【図４】
2018011871.tif 000006
【図５】
2018011871.tif 000007
【図６】
2018011871.tif 000008
【図７】
2018011871.tif 000009
【図８】
2018011871.tif 000010
【図９】
2018011871.tif 000011
【図１０】
2018011871.tif 000012
【図１１】
2018011871.tif 000013
【図１２】
2018011871.tif 000014
【図１３】
2018011871.tif 000015
【図１４】
2018011871.tif 000016
【図１５】
2018011871.tif 000017